(57)【要約】【課題】機械的な機構を用いずに、発電時においてバイブレーション機能による振動が発生することを防止可能な電子機器を提供する。【解決手段】電子機器は、モータを予め定めれた方向に回転させることにより振動を発生させるバイブレータと、二次電池と、予め定められた方向へのモータの回転を制御するための制御手段と、振動を発生させるための条件の指定を受け付ける受付手段とを備える。モータは、ユーザ操作による外力によって予め定められた方向とは逆の方向に回転させられたときに、発電して二次電池を充電する。制御手段は、モータが逆の方向に回転していない場合には、指定された条件が満たされたときに、モータを予め定められた方向に回転させる制御を行ない、モータが逆の方向に回転している場合には、指定された条件にかかわりなく、モータを予め定められた方向に回転させる制御を行なわない。【選択図】図６
2013251855.tif 000002
【特許請求の範囲】
【請求項１】
モータを予め定めれた方向に回転させることにより振動を発生させる振動発生装置を備えた電子機器であって、
二次電池と、
前記予め定められた方向への前記モータの回転を制御するための制御手段と、
前記振動を発生させるための条件の指定を受け付ける受付手段とを備え、
前記モータは、ユーザ操作による外力によって前記予め定められた方向とは逆の方向に回転させられたときに、発電して前記二次電池を充電し、
前記制御手段は、
前記モータが前記逆の方向に回転していない場合には、前記指定された条件が満たされたときに、前記モータを前記予め定められた方向に回転させる制御を行ない、
前記モータが前記逆の方向に回転している場合には、前記指定された条件にかかわりなく、前記モータを前記予め定められた方向に回転させる制御を行なわない、電子機器。
【請求項２】
前記制御手段は、前記モータが前記逆の方向に回転している場合には、前記指定された条件を変更する、請求項１に記載の電子機器。
【請求項３】
前記制御手段は、前記モータが前記逆の方向に回転している場合には、前記電子機器の動作モードを変更することによって、前記指定された条件が満たされないようにする、請求項１または２に記載の電子機器。
【請求項４】
前記指定された条件は、予め定められた時刻となった、または予め定められた時間が経過したことであり、
前記制御手段は、前記モータが前記逆の方向に回転している場合には、前記予め定められた時刻または前記予め定められた時間を変更する、請求項２に記載の電子機器。
【請求項５】
前記電子機器は、携帯型の電話機であって、
前記指定された条件は、着信であり、
前記制御手段は、前記モータが前記逆の方向に回転している場合には、前記電子機器の動作モードを前記着信を拒否するモードに変更する、請求項３に記載の電子機器。
【請求項６】
前記電子機器は、外部の通信機器と通信するための通信インターフェイスをさらに備え、
前記指定された条件は、前記外部の通信機器との通信であり、
前記制御手段は、前記モータが前記逆の方向に回転している場合には、前記通信インターフェイスによる通信機能を停止させる、請求項３に記載の電子機器。
【請求項７】
前記電子機器は、
前記モータに流れる電流の電流値を検出するための電流計と、
前記モータと前記二次電池との間に接続されたスイッチとをさらに備え、
前記スイッチは、前記モータと前記二次電池との接続を遮断する第１の切替位置、前記予め定められた方向に前記モータを回転させる回路を構成する第２の切替位置、および前記二次電池を充電させる回路を構成する第３の切替位置のうち、いずれかの切替位置をとり、
前記制御手段は、
前記モータが前記逆の方向に回転していない場合に、前記指定された条件が満たされたとき、前記スイッチを前記第１の切替位置から前記第２の切替位置に切り替え、
前記電流値が、零から、前記予め定められた方向に前記モータが回転したときとは反対の極性の値となった場合、前記スイッチを前記第１の切替位置から前記第３の切替位置に切り替える、請求項１から６のいずれか１項に記載の電子機器。
【請求項８】
モータを予め定めれた方向に回転させることにより振動を発生させる振動発生装置を備えた電子機器における前記モータの回転制御方法であって、
前記モータは、ユーザ操作による外力によって前記予め定められた方向とは逆の方向に回転させられたときに、発電して前記電子機器の二次電池を充電し、
前記モータの回転制御方法は、
前記振動を発生させるための条件の指定を受け付けるステップと、
前記モータが前記逆の方向に回転していない場合には、前記指定された条件が満たされたときに、前記モータを前記予め定められた方向に回転させる制御を行なうステップと、
前記モータが前記逆の方向に回転している場合には、前記指定された条件にかかわりなく、前記モータを前記予め定められた方向に回転させる制御を行なわないステップとを備える、モータの回転制御方法。
【請求項９】
モータを予め定めれた方向に回転させることにより振動を発生させる振動発生装置を備えた電子機器を制御するためのプログラムであって、
前記モータは、ユーザ操作による外力によって前記予め定められた方向とは逆の方向に回転させられたときに、発電して前記電子機器の二次電池を充電し、
前記プログラムは、
前記振動を発生させるための条件の指定を受け付けるステップと、
前記モータが前記逆の方向に回転していない場合には、前記指定された条件が満たされたときに、前記モータを前記予め定められた方向に回転させる制御を行なうステップと、
前記モータが前記逆の方向に回転している場合には、前記指定された条件にかかわりなく、前記モータを前記予め定められた方向に回転させる制御を行なわないステップとを、前記電子機器のプロセッサに実行させる、プログラム。
【発明の詳細な説明】
【技術分野】
【０００１】
本発明は、電子機器、モータの回転制御方法、およびプログラムに関し、特に、バイブレーション機能を有する電子機器、当該電子機器おけるモータの回転制御方法、および当該電子機器を制御するためのプログラムに関する。
【背景技術】
【０００２】
従来、バイブレータを備えた携帯端末が知られている。
上記携帯端末として、バイブレータを手動型の発電装置として利用する構成が、特許文献１〜６に開示されている。また、特許文献７には、圧電素子を内蔵した携帯型電話機をユーザが振動させることにより、発電させる構成が開示されている。
【０００３】
ここで、特許文献６に開示された携帯端末は、着信動作時には、モータの回転軸の回転が第１のワンウェイクラッチにより振動用振り子に伝達される。当該振動用振り子が揺動することにより、本来のバイブレータとして機能する。携帯端末機器は、外部から振動が加わることにより、発電用振り子が揺動する。この場合、第２のワンウェイクラッチにより回転軸に逆方向の回転として伝達される。それゆえ、モータに起電力が生じて発電器として機能する。これにより、携帯端末は、外部から振動を加えて発電しているときに、着信動作時であっても発電が停止してしまう状態を防止している。
【先行技術文献】
【特許文献】
【０００４】
【特許文献１】特開平１０−３１３９３３号公報
【特許文献２】特開２０１１−６２６１９号公報
【特許文献３】特開２００７−１１０８１８号公報
【特許文献４】特開２００５−２５２４９２号公報
【特許文献５】特開２００６−１７３８８１号公報
【特許文献６】特開平１０−２４７９６４号公報
【特許文献７】特開２００２−１７１３４１号公報
【発明の概要】
【発明が解決しようとする課題】
【０００５】
しかしながら、モータが第１の方向に回転することにより振動を発生し、当該モータを第１の方向とは逆の第２の方向に回転させることにより発電する携帯端末においては、以下の問題が生じる。すなわち、第２の方向に回転させている場合に、着信等の振動を発生させる事象が生じると、モータを第１の方向に回転させようとする力がモータに作用する。このため、モータにダメージを与えてしまう。
【０００６】
また、特許文献６のような構成においては、上述した構成により、外部から振動を加えて発電しているときに、着信動作時であっても発電が停止してしまうことがない。しかしながら、２つの振り子と２つのクラッチが必要となるため、携帯端末の機械的な機構が複雑となる。このため、携帯端末の重量が重くなるとともに、携帯端末のコストが増大する。
【０００７】
本願発明は上記の問題点に鑑みなされたものであって、その目的は、機械的な機構を用いずに、発電時においてバイブレーション機能による振動が発生することを防止可能な電子機器、モータの回転制御方法、およびプログラムを提供することにある。
【課題を解決するための手段】
【０００８】
本発明のある局面に従うと、電子機器は、モータを予め定めれた方向に回転させることにより振動を発生させる振動発生装置を備えている。電子機器は、二次電池と、予め定められた方向へのモータの回転を制御するための制御手段と、振動を発生させるための条件の指定を受け付ける受付手段とを備える。モータは、ユーザ操作による外力によって予め定められた方向とは逆の方向に回転させられたときに、発電して二次電池を充電する。制御手段は、モータが逆の方向に回転していない場合には、指定された条件が満たされたときに、モータを予め定められた方向に回転させる制御を行なう。制御手段は、モータが逆の方向に回転している場合には、指定された条件にかかわりなく、モータを予め定められた方向に回転させる制御を行なわない。
【０００９】
好ましくは、制御手段は、モータが逆の方向に回転している場合には、指定された条件を変更する。
【００１０】
好ましくは、制御手段は、モータが逆の方向に回転している場合には、電子機器の動作モードを変更することによって、指定された条件が満たされないようにする。
【００１１】
好ましくは、指定された条件は、予め定められた時刻となった、または予め定められた時間が経過したことである。制御手段は、モータが逆の方向に回転している場合には、予め定められた時刻または予め定められた時間を変更する。
【００１２】
好ましくは、電子機器は、携帯型の電話機である。指定された条件は、着信である。制御手段は、モータが逆の方向に回転している場合には、電子機器の動作モードを着信を拒否するモードに変更する。
【００１３】
好ましくは、電子機器は、外部の通信機器と通信するための通信インターフェイスをさらに備える。指定された条件は、外部の通信機器との通信である。制御手段は、モータが逆の方向に回転している場合には、通信インターフェイスによる通信機能を停止させる。
【００１４】
好ましくは、電子機器は、モータに流れる電流の電流値を検出するための電流計と、モータと二次電池との間に接続されたスイッチとをさらに備える。スイッチは、モータと二次電池との接続を遮断する第１の切替位置、予め定められた方向にモータを回転させる回路を構成する第２の切替位置、および二次電池を充電させる回路を構成する第３の切替位置のうち、いずれかの切替位置をとる。制御手段は、モータが逆の方向に回転していない場合に、指定された条件が満たされたとき、スイッチを第１の切替位置から第２の切替位置に切り替える。制御手段は、電流値が、零から、予め定められた方向にモータが回転したときとは反対の極性の値となった場合、スイッチを第１の切替位置から第３の切替位置に切り替える。
【００１５】
本発明の他の局面に従うと、モータの回転制御方法は、モータを予め定めれた方向に回転させることにより振動を発生させる振動発生装置を備えた電子機器において実行される。モータは、ユーザ操作による外力によって予め定められた方向とは逆の方向に回転させられたときに、発電して電子機器の二次電池を充電する。モータの回転制御方法は、振動を発生させるための条件の指定を受け付けるステップと、モータが逆の方向に回転していない場合には、指定された条件が満たされたときに、モータを予め定められた方向に回転させる制御を行なうステップと、モータが逆の方向に回転している場合には、指定された条件にかかわりなく、モータを予め定められた方向に回転させる制御を行なわないステップとを備える。
【００１６】
本発明のさらに他の局面に従うと、プログラムは、モータを予め定めれた方向に回転させることにより振動を発生させる振動発生装置を備えた電子機器を制御する。モータは、ユーザ操作による外力によって予め定められた方向とは逆の方向に回転させられたときに、発電して電子機器の二次電池を充電する。プログラムは、振動を発生させるための条件の指定を受け付けるステップと、モータが逆の方向に回転していない場合には、指定された条件が満たされたときに、モータを予め定められた方向に回転させる制御を行なうステップと、モータが逆の方向に回転している場合には、指定された条件にかかわりなく、モータを予め定められた方向に回転させる制御を行なわないステップとを、電子機器のプロセッサに実行させる。
【発明の効果】
【００１７】
本発明によれば、機械的な機構を用いずに、発電時においてバイブレーション機能による振動が発生することを防止できる。
【図面の簡単な説明】
【００１８】
【図１】携帯端末の外観を説明するための図である。
【図２】携帯端末の具体的な構成を機能ブロックを含めて表した図である。
【図３】バイブレータの具体的構成を表した図である。
【図４】駆動／充電用回路の詳細を説明するための回路図である。
【図５】ユーザによって指定された、振動を発生させるための条件を説明するための図である。
【図６】携帯端末で行なわれる処理の流れを表したフローチャートである。
【図７】図６におけるステップＳ１４の詳細を表したフローチャートである。
【図８】携帯端末のハードウェア構成を表した図である。
【発明を実施するための形態】
【００１９】
以下、図面を参照しつつ、本発明の各実施の形態に係る携帯端末について説明する。以下の説明では、同一の部品には同一の符号を付してある。それらの名称および機能も同じである。したがって、それらについての詳細な説明は繰り返さない。
【００２０】
携帯端末は、たとえば、スマートフォン等の携帯型電話機、タブレット型コンピュータ、電子書籍リーダ、ＰＤＡ、電子辞書である。以下では、一例として、携帯端末が携帯型電話機である場合を例に挙げて説明する。
【００２１】
＜Ａ．外観＞
図１は、携帯端末１の外観を説明するための図である。図１（Ａ）は、携帯端末１の正面図である。図１（Ｂ）は、携帯端末１の裏面図である。図１（Ａ）を参照して、携帯端末１は、筐体１０の表側面Ｓａに、タッチスクリーン１０９と、複数の操作キー１１３と、インカメラ１１７とを備えている。図１（Ｂ）を参照して、携帯端末１は、筐体の裏側面Ｓｂに、アウトカメラ１１０を備えている。
【００２２】
＜Ｂ．機能的構成＞
図２は、携帯端末１の具体的な構成を機能ブロックを含めて表した図である。図２を参照して、携帯端末１は、制御部２１と、記憶部２２と、充電式電池（二次電池）２３と、外部ＤＣ入力端子２４と、駆動／充電用回路２５と、バイブレータ２６と、マイク１１１と、スピーカ１１２と、ディスプレイ１０９１と、操作部１３０と、通信ＩＦ１１４とを備えている。駆動／充電用回路２５は、スイッチ２５１と、電流計２５２とを含む。バイブレータ２６は、ロータ２６１と、モータ２６２とを含む。操作部１３０は、操作キー１１３を含む。
【００２３】
記憶部２２は、各種のプログラムおよびデータが予め格納している。また、記憶部２２は、制御部２１によって処理されたデータも格納する。
【００２４】
制御部２１は、携帯端末１の各種動作を制御する。制御部２１は、マイク１１１からの入力を受け付ける。制御部２１は、スピーカ１１２から音を出力させる。制御部２１は、ディスプレイ１０９１から映像を出力させる。制御部２１は、操作部１３０を介したユーザ入力を受け付ける。制御部２１は、通信ＩＦを介して、他の通信機器と通信をする。
【００２５】
制御部２１は、記憶部２２からデータを読み出す。制御部２１は、記憶部２２にデータを書き込む。制御部２１は、電流計２５２によって測定された電流値を取得する。制御部２１は、取得した電流値に基づき、スイッチ２５１の動作を制御する。当該制御の詳細は、後述する（図４）。なお、制御部２１は、充電式電池２３から給電を受けて動作する。
【００２６】
充電式電池２３は、外部ＤＣ入力端子２４と接続されている。充電式電池２３は、外部ＤＣ入力端子２４より商用電源の電力によって充電される。また、充電式電池２３は、後述するバイブレータ２６を用いた発電によっても、充電される。
【００２７】
駆動／充電用回路２５は、充電式電池２３と電気的に接続されている。また、駆動／充電用回路２５は、バイブレータ２６のモータ２６２と電気的に接続されている。駆動／充電用回路２５は、制御部２１からの指令に基づき、モータ２６２を第１の方向（以下、「正方向」とも称する）に回転させる。つまり、駆動／充電用回路２５は、モータ２６２を駆動する回路として機能する。さらに、駆動／充電用回路２５は、充電式電池２３を充電する回路としても機能する。駆動／充電用回路２５で行なわれる処理については、図４に基づき説明する。
【００２８】
（ｂ１．駆動について）
バイブレータ２６のモータ２６２は、回転軸を介してロータ２６１と機械的に接続されている。このため、モータ２６２が回転することにより、ロータ２６１も当該回転の方向と同じ方向に回転する。たとえば、モータ２６２が第１の方向に回転した時には、ロータ２６１も第１の方向に回転する。ロータ２６１の当該回転により、振動が発生する。
【００２９】
操作部１３０は、バイブレータ２６において自動的に振動を発生させるための条件（バイブレーション機能を実行させるための条件）の指定を受け付ける。つまり、操作部１３０は、どのような場合に携帯端末１を振動させるかについて、ユーザからの入力を受け付ける。
【００３０】
以下では、振動を発生させるための条件として、（i）予め定められた時刻となったこと、（ii）予め定められた日の予め定められた時刻となったこと、（iii）予め定められた時間が経過したこと、（iv）電話またはメールの着信があったこと、並びに、（v）外部の通信機器との通信が確立または終了したことを例に挙げて説明する。なお、当該条件が、これらに限定されるものではない。
【００３１】
ここで、「予め定められた時刻となったこと」としては、起床アラーム機能で設定した時刻となったことが具体例として挙げられる。「予め定められた日の予め定められた時刻となったこと」としては、スケジュールアラーム機能で設定した、或る日にちにの或る時刻（開始時刻および終了時刻）となったことが挙げられる。「予め定められた時間が経過したこと」としては、タイマ機能で設定した時間が経過したことが具体例として挙げられる。「外部の通信機器との通信が終了したこと」については、通話が終了した場合、Ｂｌｕｅｔｏｏｔｈ（登録商標）による通信またはＩＣ通信等の近距離通信が終了した場合が具体例として挙げられる。
【００３２】
（ｂ２．充電について）
バイブレータ２６のロータ２６１が、ユーザ操作による外力によって第１の方向とは逆の方向である第２の方向（以下、「逆方向」とも称する）に回転させられた場合、モータ２６２も第２の方向に回転する。この場合、モータ２６２は、発電を行なう。その結果、充電式電池２３は充電される。
【００３３】
ここで、「ユーザ操作による外力」とは、ユーザがロータ２６１が第２の方向に回転するように、携帯端末１を振ることが一例として挙げられる。また、ロータ２６１を第２の方向に手動で回転させるメカニカル機構を備えるように、携帯端末１を構成してもよい。この場合、「ユーザ操作による外力」は、メカニカル機構を動作させる力となる。
【００３４】
なお、以下では、モータ２６２の正方向の回転を「正回転」と称し、モータ２６２の逆方向の回転を「逆回転」とも称する。
【００３５】
＜Ｃ．バイブレータ２６の具体的構成＞
図３は、バイブレータ２６の具体的構成を表した図である。図３（Ａ）は、バイブレータ２６の側面図である。図３（Ｂ）は、バイブレータ２６をロータ２６１側から見た図である。
【００３６】
図３（Ａ）および（Ｂ）を参照して、バイブレータ２６は、ロータ２６１と、モータ２６２と、回転軸２６３とを含む。ロータ２６１とモータ２６２とは、回転軸２６３により接続されている。
【００３７】
回転軸２６３は、モータ２６２の回転駆動力をロータ２６１に伝達する。制御部２１からの指令に基づきモータ２６２が正方向に回転すると、ロータ２６１もモータ２６２の回転方向と同じ方向に回転する。
【００３８】
また、回転軸２６３は、ロータ２６１の回転駆動力をモータ２６２に伝達する。ユーザ操作による外力によってロータ２６１が上記の回転方向とは逆方向に回転すると、モータ２６２も逆方向（第２の方向）に回転する。これにより、モータ２６２は、発電する。
【００３９】
＜Ｄ．回路構成＞
図４は、駆動／充電用回路２５の詳細を説明するための回路図である。図４を参照して、駆動／充電用回路２５は、スイッチ２５１と、電流計２５２と、電圧計２５３と、昇圧回路２５４と、スイッチ用の接点２５５，２５６とを備えている。なお、電圧計２５３は、モータ２６２に印加されている電圧を測定するために、分岐点Ｐ１，Ｐ２とにより、モータ２６２と並列に接続されている。昇圧回路２５４は、分岐点Ｐ３により充電式電池２３のプラス側の電極と接続している。なお、端子２３１は、充電式電池２３のプラス側の電極に接続された端子であり、端子２３２は、充電式電池２３のマイナス側の電極に接続された端子である。
【００４０】
昇圧回路２５４は、チョッパ回路である。昇圧回路２５４は、モータ２６２で発電された電力の電圧を昇圧するために用いられる。昇圧回路２５４は、リアクトル２５４１と、スイッチ２５４２と、ダイオード２５４３と、コンデンサ２５４４と、差動増幅器２５４５と、コンパレータ２５４６とを含む。昇圧回路２５４の構成は、一般的なものであるため、ここでの詳しい説明は行なわない。
【００４１】
電流計２５２は、モータ２６２に流れる電流の電流値を検出する。
スイッチ２５１は、モータ２６２と充電式電池２３との間に接続されている。スイッチ２５１は、制御部２１からの指令に基づき、モータ２６２と充電式電池２３との接続を遮断する第１の切替位置（図４に示した位置）、正方向にモータ２６２を回転させる回路を構成する第２の切替位置（接点２５５と接続する位置）、および充電式電池２３を充電させる回路を構成する第３の切替位置（接点２５６と接続する位置）のうち、いずれかの切替位置をとる。携帯端末１は、制御部２１からの指令に基づき、モータ２６２の駆動（正回転）、モータ２６２による発電、およびモータ２６２の停止が可能となる。
【００４２】
＜Ｅ．スイッチ２５１の切替制御＞
次に、制御部２１によるスイッチ２５１の切替制御の詳細について説明する。なお、スイッチ２５１のデフォルト位置は、モータ２６２と充電式電池２３との接続を遮断する第１の切替位置（図４に示した位置）である。
【００４３】
（ｅ１．駆動）
制御部２１は、スイッチ２５１の切替位置が第１の切替位置にある状態（デフォルト状態）において、上記指定された条件が満たされたときに、スイッチ２５１の切替位置を第１の切替位置から第２の切替位置（駆動側の位置）に切替える制御を行なう。つまり、制御部２１は、モータ２６２を正方向に回転させる制御を行なう。制御部２１は、たとえば着信があると、スイッチ２５１を切替えることにより、モータ２６２を正方向に回転させる制御を行なう。
【００４４】
この場合には、電流計２５２は、プラスの電流値を計測する。制御部２１は、当該計測結果を取得する。
【００４５】
（ｅ２．充電）
スイッチ２５１の切替位置が第１の切替位置にある状態（デフォルト状態）において、ユーザ操作による外力がモータ２６２に作用した場合、モータ２６２が逆回転する。この場合、電流計２５２は、マイナスの電流値を計測する。制御部２１は、当該計測結果を取得する。
【００４６】
制御部２１は、マイナスの電流が流れたことに基づき、スイッチ２５１の切替位置を第１の切替位置から第３の切替位置（充電側の位置）に切替える制御を行なう。当該制御により、ユーザ操作による外力によって、充電式電池２３の充電が可能となる。
【００４７】
（ｅ３．充電中の駆動制限）
制御部２１は、充電式電池２３を充電しているとき（つまり、電流計２５２がマイナスの電流を検出している間）には、スイッチ２５１を第３の切替位置から第２の切替位置に切り替える制御を行なわない。つまり、制御部２１は、モータ２６２が逆方向に回転している場合には、上記指定された条件にかかわりなく、モータ２６２を正方向に回転させる制御を行なわない。具体的には、制御部２１は以下の処理を行なうことにより、モータ２６２の正方向への回転を制限する。
【００４８】
まず、振動を発生させるための条件として、（i）予め定められた時刻となったこと、（ii）予め定められた日の予め定められた時刻となったこと、および（iii）予め定められた時間が経過したことの各々に対する、制御部２１の処理について説明する。この場合、制御部２１は、モータ２６２が逆方向に回転している場合には、上記指定された条件を変更することにより、モータ２６２を正方向に回転させないようにする。具体的には、制御部２１は、モータ２６２が逆方向に回転している場合には、上記予め定められた時刻または上記予め定められた時間を変更することにより、モータ２６２を正方向に回転させないようにする。
【００４９】
図５は、ユーザによって指定された、振動を発生させるための条件を説明するための図である。図５（Ａ）は、起床アラーム機能におけるユーザ設定を表した図である。図５（Ｂ）は、スケジュールアラーム機能におけるユーザ入力を表した図である。図５（Ｃ）は、タイマの設定時刻と残り時刻とを表した図である。
【００５０】
図５（Ａ）を参照して、制御部２１は、モータ２６２が逆方向に回転している場合には、ユーザによって設定された起床アラームの曜日および／または時刻を変更して、ユーザによって設定された条件（曜日および時刻）の条件が満たされないようにする。たとえば、制御部２１は、現在が平日であれば、設定曜日を平日から休日に変更する。あるいは、制御部２１は、設定時刻を、現在時刻よりも予め定められた時間後（たとえば１時間後）の時刻に変更する。なお、制御部２１による条件の変更の方法は、特に限定されるものではない。制御部２１は、モータ２６２の逆方向への回転が停止すると、これらの設定変更を変更前の状態（図５（Ａ））に戻す。
【００５１】
図５（Ｂ）を参照して、制御部２１は、モータ２６２が逆方向に回転している場合には、ユーザによって設定された、日にち、開始時刻、および／または終了時刻を変更して、ユーザによって設定された条件（日にちおよび時刻）の条件が満たされないようにする。一例として、制御部２１は、本日のスケジュールがある場合、たとえば日にちを変更する。他の例として、制御部２１は、本日のスケジュールがあって、開始時刻が過ぎている場合には、終了時刻を、設定されていた終了時刻よりも予め定められた時間後（たとえば１時間後）の時刻に変更する。なお、制御部２１による条件の変更の方法は、特に限定されるものではない。制御部２１は、モータ２６２の逆方向への回転が停止すると、これらの設定変更を変更前の状態（図５（Ｂ））に戻す。
【００５２】
図５（Ｃ）を参照して、制御部２１は、タイマのカウントダウンを開始している場合には、モータ２６２の逆方向への回転を検知すると、タイマの残り時間を予め定められた時間だけ増加させる制御を行なう。なお、当該制御に限定されず、制御部２１は、タイマのカウントダウンを停止してもよい。
【００５３】
次に、振動を発生させるための条件として、（iv）電話またはメールの着信があったこと、および（v）外部の通信機器との通信が確立または終了したことの各々に対する、制御部２１の処理について説明する。この場合、制御部２１は、モータ２６２が逆方向に回転している場合には、携帯端末１の動作モードを変更することによって、モータ２６２を正方向に回転させないようにする。
【００５４】
具体的には、指定された条件が電話またはメールの着信である場合には、制御部２１は、モータ２６２が逆方向に回転しているときに、動作モードを前記着信を拒否するモードに変更することにより、モータ２６２を正方向に回転させないようにする。また、指定された条件が、外部の通信機器との通信が確立または終了である場合には、制御部２１は、当該通信が確立しないように、通信ＩＦ１１４による通信機能を停止（つまり、いわゆるセルフモードに移行）させる。このような処理により、制御部２１は、モータ２６２が逆方向に回転している場合には、モータ２６２を正方向に回転させないようにする。
【００５５】
以上のように、携帯端末１の制御部２１は、モータ２６２による発電中は、振動を発生させるための条件の指定にかかわりなく、当該振動を発生させるイベントが発生することを、ソフトウェア的に防止する。つまり、制御部２１は、モータ２６２による発電中は、振動を発生をバイブレータ２６に指示するための割り込み処理を行なわないようにする。
【００５６】
これにより、携帯端末１は、機械的な機構を用いずに、発電時においてバイブレーション機能による振動が発生することを防止となる。
【００５７】
＜Ｆ．制御構造＞
図６は、携帯端末１で行なわれる処理の流れを表したフローチャートである。図６を参照して、ステップＳ２において、制御部２１は、電流計２５２による電流値に基づき、モータ２６２の回転が停止中であるか否かを判断する。
【００５８】
制御部２１は、モータ２６２の回転が停止中であると判断すると（ステップＳ２においてＹＥＳ）、ステップＳ４において、ユーザによって指定された条件が満たされたか否かを判断する。制御部２１は、モータ２６２が回転していると判断すると（ステップＳ２においてＮＯ）、ステップＳ１０に処理を進める。
【００５９】
制御部２１は、指定された条件が満たされたと判断した場合（ステップＳ４においてＹＥＳ）、ステップＳ６において、スイッチ２５１の切替位置を、デフォルトの切替位置（第１の切替位置）から、接点２５５に接続する位置（第２の切替位置）に切り替える。当該切替処理により、バイブレータ２６を駆動させる駆動回路が構成される。制御部２１は、指定された条件が満たされていないと判断した場合（ステップＳ４においてＮＯ）、処理をステップＳ２に進める。
【００６０】
ステップＳ８において、制御部２１は、携帯端末１の電源をオフするユーザ入力を受け付けたか否かを判断する。制御部２１は、受け付けたと判断した場合（ステップＳ８においてＹＥＳ）、一連の処理を終了する。制御部２１は、受け付けていないと判断した場合（ステップＳ８においてＮＯ）、処理をステップＳ２に進める。
【００６１】
ステップＳ１０において、制御部２１は、電流計２５２による電流値に基づき、モータ２６２が逆回転中であるか否かを判断する。制御部２１は、逆回転中であると判断すると（ステップＳ１０においてＹＥＳ）、ステップＳ１２において、スイッチ２５１の切替位置を、デフォルトの切替位置（第１の切替位置）から、接点２５６に接続する位置（第３の切替位置）に切り替える。当該切替処理により、充電式電池２３を充電させる充電回路が構成される。制御部２１は、逆回転中でない（つまり正回転中である）と判断すると（ステップＳ１０においてＮＯ）、処理をステップＳ２に進める。
【００６２】
ステップＳ１４において、制御部２１は、モータ２６２を正回転させる制御を制限する。つまり、制御部２１は、モータ２６２が逆回転中は、スイッチ２５１の切替位置を、現在の第３の切替位置（充電位置）から第２の切替位置（駆動位置）に切り替えないようにする。
【００６３】
ステップＳ１６において、制御部２１は、電流計２５２による電流値に基づき、モータ２６２の逆回転が停止したか否かを判断する。具体的には、制御部２１は、検出された電流値が予め定められた時間にわたり略零になっている場合に、モータ２６２の逆回転が停止したと判断する。
【００６４】
制御部２１は、モータ２６２の逆回転が終了したと判断した場合（ステップＳ１６においてＹＥＳ）、上記の制限を解除する。制御部２１は、モータ２６２の逆回転が終了していないと判断した場合（ステップＳ１６においてＮＯ）、処理をステップＳ１６に進める。制御部２１は、ステップＳ１８の後は、処理をステップＳ８に進める。
【００６５】
図７は、図６におけるステップＳ１４の詳細を表したフローチャートである。図７を参照して、ステップＳ１４２において、制御部２１は、ユーザによって指定された条件を変更する。たとえば、制御部２１は、上述したように、アラーム時刻の変更、タイマの設定時間の変更を行なう。ステップＳ１４４において、制御部２１は、携帯端末１の動作モードを予め定められた動作モードに変更する。たとえば、制御部２１は、上述したように、動作モードを、着信を拒否し、かつ通信機能を停止する動作モード（留守番電話機能を働かせ、かつ通信機能を停止する動作モード）に切り替える。
【００６６】
＜Ｇ．ハードウェア構成＞
図８は、携帯端末１のハードウェア構成を表した図である。図８を参照して、携帯端末１は、アンテナ１０１と、ＲＦ（Radio Frequency）回路１０２と、ベースバンド回路１０３と、ＧＰＳ受信機１０４と、プログラムを実行するアプリケーションプロセッサ１０５と、ＲＯＭ（Read Only Memory）１０６と、ＲＡＭ（Random Access Memory）１０７と、ＮＡＮＤ型のフラッシュメモリ１０８と、タッチスクリーン１０９と、アウトカメラ１１０と、マイク１１１と、スピーカ１１２と、ユーザによる指示の入力を受ける操作キー１１３と、通信ＩＦ（Interface）１１４と、ＩＣ（Integrated Circuit）カードリーダライタ１１５と、電源ユニット１１６と、インカメラ１１７と、センサ１１８と、タイマ１１９と、駆動／充電用回路２５と、バイブレータ２６とを備える。また、タッチスクリーン１０９は、ディスプレイ１０９１と、ディスプレイ１０９１に重畳して配置されたタッチパネルとを含んで構成される。
【００６７】
ＧＰＳ受信機１０４は、アンテナ１０４１と、ＲＦ回路１０４２と、ベースバンド回路１０４３とを含む。ＧＰＳ受信機１０４は、アンテナ１０４１を用いてＧＰＳ衛星の信号を受信する。さらに、ＧＰＳ受信機１０４は、ＲＦ回路１０４２およびベースバンド回路１０４３における処理の結果（つまり、現在地情報）を、アプリケーションプロセッサ１０５に出力する。なお、現在地情報は、緯度、経度、および高度を示した情報である。
【００６８】
アンテナ１０１、ＲＦ回路１０２、およびベースバンド回路１０３は、基地局を介した、他の移動体端末、固定電話、およびＰＣ（Personal Computer）との間における無線通信に用いられる。詳しくは、アンテナ１０１、ＲＦ回路１０２、およびベースバンド回路１０３は、携帯端末１が携帯電話網を用いた通信を行なうために用いられる。
【００６９】
フラッシュメモリ１０８は、不揮発性の半導体メモリである。フラッシュメモリ１０８は、携帯端末１を制御するための各種のプログラム、並びに、携帯端末１が生成したデータ、携帯端末１の外部装置から取得したデータ等の各種データを揮発的に格納する。
【００７０】
電源ユニット１１６は、充電式電池２３と、外部ＤＣ入力端子２４とを含む。センサ１１８は、携帯端末１の姿勢の変化に基づく信号をアプリケーションプロセッサ１０５に出力する。タイマ１１９は、時間を計時する。
【００７１】
各構成要素１０３〜１０９，１１１〜１１９，２５は、相互にデータバスによって接続されている。ＩＣカードリーダライタ１１５には、メモリカード１４５１が装着される。
【００７２】
携帯端末１における処理は、各ハードウェアおよびアプリケーションプロセッサ１０５により実行されるソフトウェアによって実現される。このようなソフトウェアは、フラッシュメモリ１０８に予め記憶されている場合がある。また、ソフトウェアは、メモリカード１４５１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１１５その他の読取装置によりその記憶媒体から読み取られて、あるいは、アンテナ１０１、ＲＦ回路１０２、およびベースバンド回路１０３、または通信ＩＦ１１４を介してダウンロードされた後、フラッシュメモリ１０８に一旦格納される。そのソフトウェアは、アプリケーションプロセッサ１０５によってフラッシュメモリ１０８から読み出され、さらにフラッシュメモリ１０８に実行可能なプログラムの形式で格納される。アプリケーションプロセッサ１０５は、そのプログラムを実行する。
【００７３】
同図に示される携帯端末１を構成する各構成要素は、一般的なものである。したがって、本発明の本質的な部分は、フラッシュメモリ１０８、メモリカード１４５１その他の記憶媒体に格納されたソフトウェア、あるいはネットワークを介してダウンロード可能なソフトウェアであるともいえる。なお、携帯端末１の各ハードウェアの動作は周知であるので、詳細な説明は繰り返さない。
【００７４】
なお、記録媒体としては、ＤＶＤ-ＲＯＭ、ＣＤ−ＲＯＭ、ＦＤ、ハードディスクに限られず、磁気テープ、カセットテープ、光ディスク、光カード、マスクＲＯＭ、ＥＰＲＯＭ、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００７５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００７６】
１  携帯端末、１０  筐体、２１  制御部、２２  記憶部、２３  充電式電池、２５  駆動／充電用回路、２６  バイブレータ、１０５  アプリケーションプロセッサ、１０８  フラッシュメモリ、１０９  タッチスクリーン、１１３  操作キー、１１６  電源ユニット、１１９  タイマ、２５１  スイッチ、２５２  電流計、２５３  電圧計、２５４  昇圧回路、２５５，２５６  接点、２６１  ロータ、２６２  モータ、２６３  回転軸、１０９１  ディスプレイ、１４５１  メモリカード、１１４  通信ＩＦ。
【図１】
2013251855.tif 000003
【図２】
2013251855.tif 000004
【図３】
2013251855.tif 000005
【図４】
2013251855.tif 000006
【図５】
2013251855.tif 000007
【図６】
2013251855.tif 000008
【図７】
2013251855.tif 000009
【図８】
2013251855.tif 000010